(57)【要約】【課題】  振動子に与えられた角速度を駆動信号と検出信号の位相差に基づいて検出する振動型ジャイロセンサを用い、コイルによりパルス電流によって振動子に振動を与え、この振動子の振動をＭＲセンサなどの電流磁気効果を利用する検出素子で検出して角速度を求める場合に、角速度を精度良く求めることができる技術を提供する。【解決手段】  振動子３０として永久磁石からなるものを使用し、駆動素子としてコイル４６を使用し、検出素子としてＭＲセンサ４８などの電流磁気効果を利用するものを使用する。また、駆動素子によりパルス電流によって振動子に振動を与え、パルス電流がオフのときの駆動素子の駆動信号の位相と検出素子の検出信号の位相との位相差に基づいて振動子に与えられた角速度を求める。【選択図】      図２
2006292568.tif 000002
【特許請求の範囲】
【請求項１】
振動子と、前記振動子に振動を与える駆動素子と、前記振動子の振動を検出する検出素子とを具備し、前記駆動素子の駆動信号の位相と前記検出素子の検出信号の位相との位相差に基づいて前記振動子に与えられた角速度を求める振動型ジャイロセンサであって、前記振動子として永久磁石からなるものを使用し、前記駆動素子としてコイルを使用し、前記検出素子として電流磁気効果を利用するものを使用するとともに、前記駆動素子によりパルス電流によって前記振動子に振動を与え、前記パルス電流がオフのときの前記駆動素子の駆動信号の位相と前記検出素子の検出信号の位相との位相差に基づいて前記振動子に与えられた角速度を求めることを特徴とする高感度振動型ジャイロセンサ。
【請求項２】
前記振動子を管状容器の内部に配置したことを特徴とする請求項１に記載の高感度振動型ジャイロセンサ。
【請求項３】
前記管状容器の内部を真空にしたことを特徴とする請求項２に記載の高感度振動型ジャイロセンサ。
【請求項４】
前記振動子が音さ型振動子であり、前記検出素子がＭＲセンサであることを特徴とする請求項１〜３のいずれか１項に記載の高感度振動型ジャイロセンサ。
【請求項５】
請求項２〜４のいずれか１項に記載の振動型ジャイロセンサの製造方法であって、消磁した振動子を作製する工程と、前記消磁した振動子を管状容器の内部に配置する工程と、前記管状容器の内部に配置した振動子の着磁を行う工程とを具備することを特徴とする高感度振動型ジャイロセンサの製造方法。
【請求項６】
前記振動子を管状容器の内部に配置する工程を真空中で行うことにより、前記管状容器の内部を真空にすることを特徴とする請求項５に記載の高感度振動型ジャイロセンサの製造方法。
【請求項７】
前記振動子として音さ型振動子を用い、前記検出素子としてＭＲセンサを用いることを特徴とする請求項５または６に記載の高感度振動型ジャイロセンサの製造方法。
【発明の詳細な説明】
【技術分野】
【０００１】
本発明は、振動子に与えられた角速度をコリオリ力を利用して検出する振動型ジャイロセンサに関し、さらに詳述すると、上記角速度を駆動信号と検出信号の位相差に基づいて検出する振動型ジャイロセンサに関する。
【背景技術】
【０００２】
従来、振動子に与えられた角速度をコリオリ力を利用して検出する振動型ジャイロセンサであって、上記角速度を駆動信号と検出信号の位相差に基づいて検出する振動型ジャイロセンサとして、特許文献１〜３に記載されたものがある。
【０００３】
特許文献１のジャイロセンサは、柱状の振動体と、該振動体の第１の側面に取り付けられた駆動用圧電トランスジューサと、前記第１の側面と直交する第２の側面に取り付けられた読み出し用圧電トランスジューサとを備え、前記駆動用圧電トランスジューサにより駆動された前記振動体の振動を前記読み出し用圧電トランスジューサにより電気信号に変換し、該電気信号により角速度を検出するようになした振動ジャイロにおいて、前記駆動用圧電トランスジューサを駆動する駆動信号の位相に対する前記電気信号の位相の変化を検出する位相検出手段を備え、該位相検出手段により検出した位相の変化に基づいて角速度を検出するものである（特許請求の範囲第１項）。
【０００４】
特許文献２のジャイロセンサは、水平面内振動を駆動振動として用いる圧電性を持つ単結晶を用いて構成された振動子であって、駆動振動を駆動する駆動素子と、駆動素子による駆動振動に伴って発生した駆動振動と異なる振動モードの振動状態を検出する検出手段とを備える振動子と、駆動振動を発生するために使用した電気信号を参照信号とし、駆動振動に伴って発生した駆動振動と異なる振動モードを持つ振動を検出手段によって電気信号として取り出したときの信号を出力信号とするとき、参照信号と出力信号の位相差を検出する位相差検出手段とを備え、位相検出手段により検出した位相差の変化に基づいて角速度を検出するものである（請求項１）。
【０００５】
特許文献３のジャイロセンサは、振動子と、この振動子を所定方向へ振動駆動する駆動素子と、振動子の振動成分を圧電効果により電気信号として出力する検出部と、が設けられた振動型ジャイロスコープにおいて、前記検出部は、振動子が前記駆動素子により駆動され且つ振動子に角速度が与えられていないときに同じ位相の出力が得られ且つ前記角速度が与えられたときのコリオリ力による振動成分の出力が互いに逆の位相で重畳される対を成す検出出力部を有し、前記対を成す検出出力部の位相差を検出する位相差検出手段が設けられ、前記位相差検出手段からの出力に基づいて前記角速度が検出されるものである（請求項１）。
【０００６】
【特許文献１】特公平４−１４７３４号公報
【特許文献２】特開平１０−１５３４３２号公報
【特許文献３】特開平１０−２０６１６６号公報
【発明の開示】
【発明が解決しようとする課題】
【０００７】
前述した特許文献１のジャイロセンサは、駆動素子および検出素子としていずれも圧電素子を用いるものである。また、特許文献２、３のジャイロセンサは、駆動素子および検出素子としていずれも電極を用いるものである。
【０００８】
したがって、特許文献１〜３のジャイロセンサは、駆動素子および検出素子として同じ動作原理により動作するものを用いるため、駆動素子および検出素子としてそれぞれ最適な動作原理により動作するものを用いてジャイロセンサの性能、機能等を高めることができない。
【０００９】
これに対し、本発明者は、振動子に与えられた角速度を駆動信号と検出信号の位相差に基づいて検出する振動型ジャイロセンサであって、駆動素子および検出素子としてそれぞれ最適な動作原理により動作するものを用いて性能、機能等を高めることができる振動型ジャイロセンサとして、図１０に示すものを提案した。
【００１０】
図１０の振動型ジャイロセンサは、線状支持体１００の先端部に磁性体からなる音さ型振動子１０２を取り付けるとともに、振動子１０２の近傍に駆動素子としてコイル１０４、検出素子としてＭＲセンサ（磁気抵抗効果素子）１０６を配置したものである。また、図１０の振動型ジャイロセンサでは、線状支持体１００の基端側およびコイル１０４はエラストマーからなるモールド体１０８内に封入されており、線状支持体１００の先端側、振動子１０２およびＭＲセンサ１０６は上記モールド体１０８内に封入されたガラス管１１０の内部に配置されている。
【００１１】
図１０の振動型ジャイロセンサは、コイル１０４によって振動子１０２に振動を与えるとともに、振動子１０２の振動をＭＲセンサ１０６によって検出し、コイル１０４による駆動信号の位相とＭＲセンサ１０６による検出信号の位相との位相差に基づいて振動子１０２に与えられた角速度を求める。この場合、図１０の振動型ジャイロセンサは、コイル１０４によりパルス電流によって振動子１０２に振動を与えることが可能である。
【００１２】
しかし、上述したようにパルス電流によって振動子１０２に振動を与える場合、振動子１０２は磁性体からなるので、パルス電流がオフのときには振動子１０２は磁気を帯びておらず、そのため電流磁気効果を利用する検出素子であるＭＲセンサ１０６によっては振動子１０２の振動を検出することができない。一方、パルス電流がオンのときにはコイル１０４から磁束が発生するため、この磁束の影響でＭＲセンサ１０６による振動子１０２の振動の検出精度が低下する。したがって、図１０の振動型ジャイロセンサにおいて、コイル１０４によりパルス電流によって振動子１０２に振動を与え、この振動子１０２の振動をＭＲセンサ１０６で検出して角速度を求める場合は、角速度を精度良く求めることが難しかった。
【００１３】
本発明は、前述した事情に鑑みてなされたもので、振動子に与えられた角速度を駆動信号と検出信号の位相差に基づいて検出する振動型ジャイロセンサを用い、コイルによりパルス電流によって振動子に振動を与え、この振動子の振動をＭＲセンサなどの電流磁気効果を利用する検出素子で検出して角速度を求める場合に、角速度を精度良く求めることができる技術を提供することを目的とする。
【課題を解決するための手段】
【００１４】
本発明は、前記目的を達成するため、振動子と、前記振動子に振動を与える駆動素子と、前記振動子の振動を検出する検出素子とを具備し、前記駆動素子の駆動信号の位相と前記検出素子の検出信号の位相との位相差に基づいて前記振動子に与えられた角速度を求める振動型ジャイロセンサであって、前記振動子として永久磁石からなるものを使用し、前記駆動素子としてコイルを使用し、前記検出素子として電流磁気効果を利用するものを使用するとともに、前記駆動素子によりパルス電流によって前記振動子に振動を与え、前記パルス電流がオフのときの前記駆動素子の駆動信号の位相と前記検出素子の検出信号の位相との位相差に基づいて前記振動子に与えられた角速度を求めることを特徴とする高感度振動型ジャイロセンサを提供する。
【００１５】
本発明の高感度振動型ジャイロセンサでは、振動子として永久磁石からなるものを使用したので、パルス電流がオフのときでも振動子は磁気を帯びており、そのためＭＲセンサなどの電流磁気効果を利用する検出素子によって振動子の振動を検出することができる。そして、本発明の高感度振動型ジャイロセンサでは、パルス電流がオフのときの駆動素子の駆動信号の位相と検出素子の検出信号の位相との位相差に基づいて振動子に与えられた角速度を求めることにより、角速度を精度良く求めることができる。すなわち、本発明では、コイルから磁束が発生し、この磁束の影響で検出精度が低下するパルス電流がオンのときの検出素子の検出信号は無視し、コイルから磁束が発生せず、コイルからの磁束の影響がないパルス電流がオフのときの検出素子の検出信号のみを用いて角速度を求めることにより、コイルから発生する磁束の影響を排除して角速度を高精度で求めることができる。
【００１６】
以下、本発明につきさらに詳しく説明する。本発明において、振動子の材質としてはＮ極およびＳ極を有する永久磁石を用いる。この場合、永久磁石としては、例えばアルニコ磁石、フェライト磁石、サマリウム・コバルト磁石、ネオジム磁石、ＫＳ鋼等を挙げることができるが、これらに限定されるものではない。また、振動子の形状にも限定はなく、例えば音さ型、ビーム型、プレート型、リング型、ボール型、線型、リードリレー型等から適宜選択することができるが、特に後記実施形態に示すように音さ型振動子が好ましい。
【００１７】
本発明において、駆動素子としてはコイルを用いる。また、検出素子としてはＭＲセンサ、ホール素子、磁気トランジスタなどの電流磁気効果を利用するものを用いる。これらの中では、特に後記実施形態に示すようにＭＲセンサが好ましい。
【００１８】
本発明において、駆動素子の駆動信号の位相と検出素子の検出信号の位相との位相差に基づいて振動子に与えられた角速度を検出する手段に限定はなく、例えば、前述した特許文献１〜３に記載されたような公知の手段を用いることができる。
【００１９】
本発明においては、振動子を管状容器の内部に配置することができる。この場合、上記管状容器としては、例えばガラス、金属（アルミニウム、非磁性ステンレス鋼、銅、真鍮、鉄、ニッケルなど）、セラミック、プラスチック等からなるものを用いることができる。本発明では、管状容器の材質として非磁性材料、磁性材料、軟磁性材料のいずれでも用いることができるため、管状容器の材質選択の幅を広げることができる。
【００２０】
また、本発明では、上述のように振動子を管状容器の内部に配置する場合、消磁した振動子を作製する工程と、消磁した振動子を管状容器の内部に配置する工程と、管状容器の内部に配置した振動子の着磁を行う工程とを実施することで、高感度振動型ジャイロセンサを製造することができる。これにより、製造工程において振動子同士が磁力によりくっつく問題を解消して、製造工程の大幅な自動化を図ることができる。
【発明の効果】
【００２１】
本発明の高感度振動型ジャイロセンサは、コイルによりパルス電流によって振動子に振動を与え、この振動子の振動を電流磁気効果を利用する検出素子で検出し、駆動信号と検出信号の位相差に基づいて振動子に与えられた角速度を求める場合に、角速度を精度良く求めることができる。
【発明を実施するための最良の形態】
【００２２】
以下、本発明の実施の形態を図面を参照して説明するが、本発明は下記例に限定されるものではない。下記実施形態の振動型ジャイロセンサは、いずれも、振動子に与えられた角速度をコリオリ力を利用して検出するものである。
【００２３】
（第１実施形態）
下記工程（１）〜（３）により本発明に係る高精度振動型ジャイロセンサを製造した。
（１）図１に示す構造の音さ型振動子３０を、消磁したアルニコ磁石の膜材から圧延、打ち抜きなどの加工方法によって作製した。図１の振動子３０は、支持部３２と、支持部３２から突出したばね部３４と、ばね部３４の先端に設けられた振動部３６とを具備する。また、支持部３２の一部を半田付け部３８とし、この半田付け部３８に金めっきを施した。なお、振動子は電鋳、エッチングなどで作製してもよい。
（２）図２、図３に示すように、ガラス、金属（アルミニウム、非磁性ステンレス鋼、銅、真鍮、鉄、ニッケルなど）、セラミック、プラスチック等からなる断面円形の管状容器４０の内部に（１）で作製した振動子３０を封入した。この場合、管状容器４０の内部に振動子３０を挿入した状態で、真空中で振動子３０の半田付け部３８と管状容器４０とを半田槽に漬けるなどして半田４２によって接合するとともに、管状容器４０を蓋４４で閉塞することにより、管状容器４０の内部を真空にした。なお、管状容器４０の内面の半田付け部３８と対応する部分には、金めっきを施しておいた。本例の高感度振動型ジャイロセンサでは、管状容器４０の内部を真空にすることにより、振動子３０の振動の安定性を向上させている。ただし、管状容器４０に振動子３０を半田付けした後に、管状容器４０内の真空引きを行ってから管状容器４０を蓋４４で閉塞することにより、管状容器４０の内部を真空にしてもよい。
（３）図２に示すように、管状容器４０の外方に駆動素子としてコイル４６を配置した。また、管状容器４０の外周に検出素子として一対のＭＲセンサ４８を互いに対向した状態で取り付け、これにより両ＭＲセンサ４８の間に振動子３０を配置した。
（４）コイル４６に適宜大きさの電流を流すことにより、振動子３０の着磁を行った。本例では、消磁した振動子３０を管状容器４０の内部に封入した後、振動子３０の着磁を行うことにより、製造工程において振動子３０同士が磁力によりくっつく問題を解消して、製造工程の大幅な自動化を図ることができる。なお、振動子３０の着磁は他の手段で行ってもよい。
【００２４】
本例の高感度振動型ジャイロセンサは、コイル４６によりオンオフを繰り返すパルス電流によって振動子３０に図中矢印方向の振動を振動部３６の先端が開閉するように与えるとともに、振動部３６の振動をＭＲセンサ４８によって検出し、コイル４６による駆動信号の位相とＭＲセンサ４８による検出信号の位相との位相差に基づいて振動子３０に与えられた角速度を求める。
【００２５】
この場合、本例の高感度振動型ジャイロセンサでは、パルス電流がオフのときのコイル４６の駆動信号の位相とＭＲセンサ４８の検出信号の位相との位相差に基づいて振動子３０に与えられた角速度を求める。
【００２６】
また、本例の高感度振動型ジャイロセンサでは、上述した角速度を求めるに当たり、振動子３０と両ＭＲセンサ４８とが見かけ上で予め設定した所定の位置関係になるように、両ＭＲセンサ４８の検出信号の演算処理を行う。具体的には、本例の高感度振動型ジャイロセンサでは、図４に示すように、振動子３０の振動部３６間の中心と両ＭＲセンサ４８間の中心とが一致するのが振動子３０と両ＭＲセンサ４８との正しい位置関係である。しかし、実際には、例えば図５に示すように、振動子３０が正しい位置からずれることがある。
【００２７】
そこで、本例の高感度振動型ジャイロセンサでは、振動子３０と両ＭＲセンサ４８とが見かけ上で図４に示した正しい位置関係になるように、両ＭＲセンサ４８の検出信号の演算処理を行い、これにより振動子３０と両ＭＲセンサ４８との位置関係にかかわらず、正しい検出信号を得るようにする。上記演算処理は、振動子３０と両ＭＲセンサ４８との位置関係などに応じて適宜決定するものであり、本例では両ＭＲセンサ４８の出力を平均すればよい。
【００２８】
ここで、本例の高感度振動型ジャイロセンサに使用する角速度検出回路の一例を図６に示す。図６において、１５０はパルス回路、１５２はコイル、１５４はインバータ、１５６は一方のＭＲセンサ、１５８は他方のＭＲセンサ、１６０、１６２はバッファ、１６４は比較回路を示す。本例の回路では、パルス回路１５０で生成されたパルス電流がコイル１５２に送られるとともに、パルス電流がオフのときの基準信号がインバータ１５４を通って比較回路１６４に送られる。また、パルス電流がオフのときのＭＲセンサ１４６、１４８の検出信号がバッファ１６０、１６０を通って比較回路１６４に送られる。そして、比較回路１６４において、上記基準信号（パルス電流がオフのときの駆動素子の駆動信号）の位相と、上記検出信号（パルス電流がオフのときの検出素子の検出信号）の位相との位相差に基づいて、振動子に与えられた角速度が検出される。
【００２９】
すなわち、図７の波形図に示すように、基準信号を符号ａ、振動子に角速度が与えられていないときの一方のＭＲセンサの検出信号を符号ｂ、振動子に角速度が与えられていないときの他方のＭＲセンサの検出信号を符号ｃ、振動子に角速度が与えられたときの一方のＭＲセンサの検出信号を符号ｄ、振動子に角速度が与えられたときの他方のＭＲセンサの検出信号を符号ｅとする。そうすると、基準信号と振動子に角速度が与えられたときの一方のＭＲセンサの検出信号との位相差ｆ、基準信号と振動子に角速度が与えられたときの他方のＭＲセンサの検出信号との位相差ｇ、および上記位相差ｆと位相差ｇとの差ｈが、いずれもコリオリ力そのものによる位相差になる。図６の回路では、比較回路１６４により上記位相差ｈに基づいて角速度を求めることにより、角速度を高感度に検出している。ただし、位相差ｆまたは位相差ｇに基づいて角速度を求めてもよい。
【００３０】
本例の高感度振動型ジャイロセンサは、パルス電流がオフのときの駆動素子の駆動信号の位相と検出素子の検出信号の位相との位相差に基づいて振動子に与えられた角速度を求めることにより、コイルから発生する磁束の影響を排除して角速度を高精度で求めることができる。
【００３１】
また、本例の高感度振動型ジャイロセンサは、永久磁石からなる振動子として音さ型のものを用いたので、両振動部３６には互いの反発力により常に開こうとする力が加わっており、したがって振動子３０は予めバイアスがかかった状態で動作するため、金属材料特有の初期動作点の動作不安定性、例えばクリープ現象や微少電流時における不動範囲の存在現象などを解消することができ、この点でも角速度を高精度で求めることができる。
【００３２】
さらに、本例の高感度振動型ジャイロセンサは、複数の検出素子を振動子と離間して配置するとともに、角速度を求めるに当たり、振動子と複数の検出素子とが見かけ上で予め設定した所定の位置関係になるように、複数の検出素子の検出信号の演算処理を行うので、駆動素子と検出素子との位置合わせに高い精度を要さず、振動子と複数の検出素子とが正しい位置関係になっていない場合でも、角速度を精度良く求めることができる。すなわち、本例の高感度振動型ジャイロセンサでは、振動子と検出素子との位置関係にかかわらず、検出素子の検出信号が、振動子と検出素子との位置関係が予め設定した所定の位置関係になっている場合の検出信号と同じ値になるように演算処理する。したがって、本例の高感度振動型ジャイロセンサは、振動子と複数の検出素子とが予め設定した正しい位置関係になっていない場合でも、上記演算処理によって正しい検出信号を得ることができる。
【００３３】
なお、本例では、振動子に図２の矢印方向（Ｘ軸方向）の振動を与え、このＸ軸方向の振動をＭＲセンサによって検出する１軸方式により角速度を求めたが、上記Ｘ軸方向に振動を行う振動子に加えて別の振動子を設置し、この別の振動子に図２の前後方向（Ｙ軸方向）の振動を与えるとともに、このＹ軸方向の振動をさらに別のＭＲセンサによって検出する２軸方式により角速度を求めてもよい。この場合も、上記別の振動子にパルス電流によって振動を与え、パルス電流がオフのときの駆動信号の位相と上記Ｘ軸方向およびＹ軸方向の検出信号の位相との位相差に基づいて振動子に与えられた角速度を求める。
【００３４】
（第２実施形態）
下記工程（イ）〜（ロ）により本発明に係る高感度振動型ジャイロセンサを製造した。
（イ）第１実施形態と同様に、図１に示した構造の音さ型振動子３０を作製するとともに、管状容器４０の内部に上記振動子３０を封入した（図８参照）。一方、図９に示すように、セラミック基板、プリント基板、ガラス基板等の基板５４上に一対のＭＲセンサ５６を所定間隔離間して形成するとともに、基板５４上に各種回路を含むＩＣ５８を形成した。
（ロ）図８に示すように、振動子３０を封入した管状容器４０の外方に駆動素子としてコイル６０を配置するとともに、管状容器４０の軸方向一端部の先方にＭＲセンサ５６とＩＣ５８を形成した基板を配置することにより高感度振動型ジャイロセンサを作製した。本例では、振動子３０とＭＲセンサ５６とは直角をなしている。
【００３５】
本例の高感度振動型ジャイロセンサは、コイル６０によりオンオフを繰り返すパルス電流によって振動子３０に振動を与えるとともに、振動部３６の振動をＭＲセンサ５６によって検出し、コイル６０による駆動信号の位相とＭＲセンサ５６による検出信号の位相との位相差に基づいて振動子３０に与えられた角速度を求める。
【００３６】
この場合、本例の高感度振動型ジャイロセンサでは、パルス電流がオフのときのコイル６０の駆動信号の位相とＭＲセンサ５６の検出信号の位相との位相差に基づいて振動子３０に与えられた角速度を求める。
【００３７】
また、本例の高感度振動型ジャイロセンサでは、振動子３０の振動部３６間の中心とＭＲセンサ５６間の中心とが一致するのが振動子３０とＭＲセンサ５６との正しい位置関係である。そこで、本例の高感度振動型ジャイロセンサでは、振動子３０とＭＲセンサ５６とが見かけ上で正しい位置関係になるように、両ＭＲセンサ５６の検出信号の演算処理を行い、これにより振動子３０と両ＭＲセンサ５６との位置関係にかかわらず、正しい検出信号を得るようにする。
【００３８】
なお、本発明の高感度振動型ジャイロセンサは前述した実施形態に限定されるものではなく、種々変更することが可能である。例えば、図１０に示した振動型ジャイロセンサのように、コイル、ＭＲセンサなどをエラストマーからなるモールド体内に封入してもよい。
【図面の簡単な説明】
【００３９】
【図１】第１実施形態で用いた振動子を示す概略正面図である。
【図２】第１実施形態の高感度振動型ジャイロセンサを示す概略正面図である。
【図３】第１実施形態の高感度振動型ジャイロセンサを示す概略側面図である。
【図４】第１実施形態の高感度振動型ジャイロセンサの振動子が正しい位置にある状態を示す説明図である。
【図５】第１実施形態の高感度振動型ジャイロセンサの振動子が正しい位置からずれている状態を示す説明図である。
【図６】第１実施形態の高感度振動型ジャイロセンサに使用する角速度検出回路の一例を示す回路図である。
【図７】第１実施形態の高感度振動型ジャイロセンサにおける各信号の波形図である。
【図８】第２実施形態の高感度振動型ジャイロセンサを示す概略正面図である。
【図９】第２実施形態で用いた基板を示す概略平面図である。
【図１０】角速度を駆動信号と検出信号の位相差に基づいて検出する振動型ジャイロセンサの一例を示す概略正面図である。
【符号の説明】
【００４０】
３０  振動子
４０  管状容器
４６  コイル
４８  ＭＲセンサ
５６  ＭＲセンサ
６０  コイル
【図１】
2006292568.tif 000003
【図２】
2006292568.tif 000004
【図３】
2006292568.tif 000005
【図４】
2006292568.tif 000006
【図５】
2006292568.tif 000007
【図６】
2006292568.tif 000008
【図７】
2006292568.tif 000009
【図８】
2006292568.tif 000010
【図９】
2006292568.tif 000011
【図１０】
2006292568.tif 000012